(57)【要約】【課題】工具を使うことなくイオン発生素子を簡単に取り外しでき、メンテナンスの作業性を大幅に向上できるイオン発生装置を提供する。【解決手段】本体ケーシングかつフロントパネル２に覆われた位置に取り付けられ、送風経路１c側にイオン発生電極部のみが露出したイオン発生素子１０とを備える。上記本体ケーシングは、一方向のみから挿入されたイオン発生素子１０を他方向の移動を規制しつつ収納する収納部４０と、収納部４０に収納されたイオン発生素子１０を係止する係止位置とイオン発生素子１０を係止状態から解放する解放位置とを有する回転体１１と、回転体１１が解放位置から係止位置に向かって回転するとき、回転体１１に押接されて弾性変形して、回転後の係止位置で元の形状に戻って回転体１１を保持する一方、回転体１１が係止位置から解放位置に向かって回転するとき、回転体１１に押接されて弾性変形する弾性保持部４４,４５とを有する。【選択図】図４
2009252717.tif 000002
【特許請求の範囲】
【請求項１】
吸込口と吹出口が設けられた本体ケーシングと、
上記本体ケーシングに取り付けられたフロントパネルと、
上記本体ケーシング内に配置された送風ファンと、
上記本体ケーシング内に設けられ、上記送風ファンにより上記吸込口から吸い込んだ空気を上記吹出口から吹き出すための送風経路と、
上記本体ケーシングかつ上記フロントパネルに覆われた位置に取り付けられ、上記送風経路側にイオン発生電極部のみが露出したイオン発生素子と
を備え、
上記本体ケーシングは、
上記イオン発生素子が一方向から挿入され、他方向への移動を規制しつつ上記イオン発生素子を収納する収納部と、
上記収納部に収納された上記イオン発生素子を係止する係止位置と上記イオン発生素子を係止状態から解放する解放位置とを有する回転体と、
上記回転体が上記解放位置から上記係止位置に向かって回転するとき、上記回転体に押接されて弾性変形して、回転後の上記係止位置で元の形状に戻って上記回転体を保持する一方、上記回転体が上記係止位置から上記解放位置に向かって回転するとき、上記回転体に押接されて弾性変形する弾性保持部と
を有することを特徴とするイオン発生装置。
【請求項２】
請求項１に記載のイオン発生装置において、
上記弾性保持部は、上記回転体が上記係止位置から上記解放位置に向かって回転するとき、上記回転体に押接されて弾性変形して、回転後の上記解放位置で元の形状に戻って上記回転体を保持することを特徴とするイオン発生装置。
【請求項３】
請求項１または２に記載のイオン発生装置において、
上記回転体または上記弾性保持部の少なくとも一方に、上記回転体が回転するときに上記弾性保持部が弾性変形するためのカム面を設けたことを特徴とするイオン発生装置。
【請求項４】
請求項１から３までのいずれか１つに記載のイオン発生装置において、
上記回転体が上記係止位置のときに上記回転体の上記イオン発生素子に対向する位置に、上記イオン発生素子が上記収納部に挿入される方向に上記イオン発生素子を押さえる凸形状の押圧部を設けたことを特徴とするイオン発生装置。
【請求項５】
請求項１から４のいずれか１つに記載のイオン発生装置において、
上記回転体が上記係止位置のときに上記回転体の上記イオン発生素子に対向する位置に、上記イオン発生素子が上記収納部に挿入される方向とは異なる方向に上記イオン発生素子を押さえる第２の凸形状の押圧部を設けたことを特徴とするイオン発生装置。
【請求項６】
請求項１から５のいずれか１つに記載のイオン発生装置において、
上記本体ケーシングに設けられ、上記イオン発生素子が取り付けられた区画と上記送風経路を仕切る仕切板を備え、
上記仕切板の上記イオン発生素子に対向する側面が、上記イオン発生素子の上記仕切板側への移動を規制することを特徴とするイオン発生装置。
【請求項７】
請求項６に記載のイオン発生装置において、
上記仕切板が上記本体ケーシングに略水平に設けられ、
上記仕切板の上面が、上記イオン発生素子の下側が接して上記イオン発生素子の上記仕切板側への移動を規制することを特徴とするイオン発生装置。
【発明の詳細な説明】
【技術分野】
【０００１】
この発明は、イオン発生装置に関する。
【背景技術】
【０００２】
従来、イオン発生装置としては、電極に高電圧を印加して放電させることによりイオンを生成するものがある(例えば、特開２００２−１５８３４(特許文献１)参照)。
【０００３】
このようなイオン発生装置では、電極の高電圧により帯電したほこりが放電電極に付着して、放電が阻害されるという不具合が発生する。このため、上記イオン発生装置では、定期的に放電電極をアルコールで濡らした綿棒などで清掃する必要がある。
【０００４】
しかしながら、上記イオン発生装置では、放電電極が装置内部に取り付けられているため、ネジなどを外して分解しなければならないという問題がある。これは、放電電極が高電圧で危険であることと、細い針状電極であるために強度が弱いという理由により、一般のユーザが触れないようにするためである。
【０００５】
特に、２４時間連続運転するような使用状況では、定期的にメンテナンスを行って放電電極を清掃する必要があり、メンテナンスをする毎に分解するのは、作業性が非常に悪くなる。
【特許文献１】特開２００２−１５８３４号公報
【発明の開示】
【発明が解決しようとする課題】
【０００６】
そこで、この発明の課題は、工具を使うことなくイオン発生素子を簡単に取り外しでき、メンテナンスの作業性を大幅に向上できるイオン発生装置を提供することにある。
【課題を解決するための手段】
【０００７】
上記課題を解決するため、この発明のイオン発生装置は、
吸込口と吹出口が設けられた本体ケーシングと、
上記本体ケーシングに取り付けられたフロントパネルと、
上記本体ケーシング内に配置された送風ファンと、
上記本体ケーシング内に設けられ、上記送風ファンにより上記吸込口から吸い込んだ空気を上記吹出口から吹き出すための送風経路と、
上記本体ケーシングかつ上記フロントパネルに覆われた位置に取り付けられ、上記送風経路側にイオン発生電極部のみが露出したイオン発生素子と
を備え、
上記本体ケーシングは、
上記イオン発生素子が一方向から挿入され、他方向への移動を規制しつつ上記イオン発生素子を収納する収納部と、
上記収納部に収納された上記イオン発生素子を係止する係止位置と上記イオン発生素子を係止状態から解放する解放位置とを有する回転体と、
上記回転体が上記解放位置から上記係止位置に向かって回転するとき、上記回転体に押接されて弾性変形して、回転後の上記係止位置で元の形状に戻って上記回転体を保持する一方、上記回転体が上記係止位置から上記解放位置に向かって回転するとき、上記回転体に押接されて弾性変形する弾性保持部と
を有することを特徴とする。
【０００８】
ここで、送風ファンは、ファンモータを含むものとする。
【０００９】
上記構成のイオン発生装置によれば、上記本体ケーシングの収納部に、イオン発生素子を一方向から挿入して、イオン発生素子を他方向の移動を規制しつつ収納する。そうして、収納されたイオン発生素子を回転体により係止位置で係止する一方、回転体を回転させて解放位置にすることによりイオン発生素子を係止状態から解放して、収納部から取り出し可能とする。このとき、上記回転体が解放位置から係止位置に向かって回転するとき、回転体に押接されて弾性保持部が弾性変形して、回転後の係止位置で元の形状に戻って回転体を保持する。また、上記回転体が係止位置から解放位置に向かって回転するとき、回転体に押接されて弾性保持部が弾性変形する。このように、工具を使うことなくイオン発生素子を簡単に取り外しでき、メンテナンスの作業性を大幅に向上できる。
【００１０】
また、一実施形態のイオン発生装置では、上記弾性保持部は、上記回転体が上記係止位置から上記解放位置に向かって回転するとき、上記回転体に押接されて弾性変形して、回転後の上記解放位置で元の形状に戻って上記回転体を保持する。
【００１１】
上記実施形態によれば、上記回転体が係止位置から解放位置に向かって回転するとき、回転体に押接されて弾性保持部が弾性変形して、回転後の解放位置で元の形状に戻って回転体を保持することにより、イオン発生素子の取り外すときに回転体が動いてイオン発生素子に干渉することがないので、作業性がより向上する。
【００１２】
また、一実施形態のイオン発生装置では、上記回転体または上記弾性保持部の少なくとも一方に、上記回転体が回転するときに上記弾性保持部が弾性変形するためのカム面を設けた。
【００１３】
上記実施形態によれば、上記回転体または弾性保持部の少なくとも一方に設けられたカム面により、回転体が回転するときに弾性保持部が弾性変形するので、回転体をスムーズに回転させることができ、操作性がよくなる。
【００１４】
また、一実施形態のイオン発生装置では、上記回転体が上記係止位置のときに上記回転体の上記イオン発生素子に対向する位置に、上記イオン発生素子が上記収納部に挿入される方向に上記イオン発生素子を押さえる凸形状の押圧部を設けた。
【００１５】
上記実施形態によれば、上記回転体が係止位置のとき、回転体のイオン発生素子に対向する位置に設けられた凸形状の押圧部により、イオン発生素子が収納部に挿入される方向に向かってイオン発生素子を押さえるので、収納部に収納された係止状態のイオン発生素子を確実に保持できる。
【００１６】
また、一実施形態のイオン発生装置では、上記回転体が上記係止位置のときに上記回転体の上記イオン発生素子に対向する位置に、上記イオン発生素子が上記収納部に挿入される方向とは異なる方向に上記イオン発生素子を押さえる第２の凸形状の押圧部を設けた。
【００１７】
上記実施形態によれば、上記回転体が係止位置のとき、回転体のイオン発生素子に対向する位置に設けられた第２の凸形状の押圧部により、イオン発生素子が収納部に挿入される方向とは異なる方向に向かってイオン発生素子を押さえるので、収納部に収納された係止状態のイオン発生素子を確実に保持できる。
【００１８】
また、一実施形態のイオン発生装置では、
上記本体ケーシングに設けられ、上記イオン発生素子が取り付けられた区画と上記送風経路を仕切る仕切板を備え、
上記仕切板の上記イオン発生素子に対向する側面が、上記イオン発生素子の上記仕切板側への移動を規制する。
【００１９】
上記実施形態によれば、上記イオン発生素子が取り付けられた区画と上記送風経路を仕切る仕切板において、イオン発生素子に対向する側面が、イオン発生素子の仕切板側への移動を規制することによって、送風経路を仕切る仕切板が収納部の一部を兼ねることができ、構成を簡略化できる。
【００２０】
また、一実施形態のイオン発生装置では、
上記仕切板が上記本体ケーシングに略水平に設けられ、
上記仕切板の上面が、上記イオン発生素子の下側が接して上記イオン発生素子の上記仕切板側への移動を規制する。
【００２１】
上記実施形態によれば、上記本体ケーシングに略水平に設けられた仕切板の上面が、イオン発生素子の下側が接してイオン発生素子の仕切板側への移動を規制することによって、仕切板が収納部の一部を兼ねると共、取り外したイオン発生素子を仕切板上に一旦載せて作業でき、作業性がより向上する。
【発明の効果】
【００２２】
以上より明らかなように、この発明のイオン発生装置によれば、工具を使うことなくイオン発生素子を簡単に取り外しでき、メンテナンスの作業性を大幅に向上できるイオン発生装置を実現することにある。
【発明を実施するための最良の形態】
【００２３】
以下、この発明のイオン発生装置を図示の実施の形態により詳細に説明する。
【００２４】
図１はこの発明の実施の一形態のイオン発生装置のフロントパネルを外した状態の斜視図である。このイオン発生装置は、空気中でプラズマ放電により発生させた正イオンと負イオンを放出してトイレや厨房などの室内の除菌を行う。
【００２５】
この実施の形態のイオン発生装置は、図１に示すように、前面側に設けられた吸込口１aと前面側上部に設けられた吹出口１bを有する樹脂製の本体ケーシング１と、上記本体ケーシング１の前面側に取り付けられる樹脂製のフロントパネル２と、上記本体ケーシング１内に配置された送風ファン２０とを備えている。上記イオン発生装置は、背面側が室内の壁に接するように設置される。
【００２６】
上記本体ケーシング１内に、送風ファン２０により吸込口１aから吸い込んだ空気を吹出口１bから吹き出すための送風経路１c(図４に示す)を形成している。上記本体ケーシング１の吸込口１aにフィルタ(図示せず)を固定するフィルタ固定部材１２を取り付けている。このフィルタ固定部材１２は、本体ケーシング１の吸込口１aに設けられた枠との間にフィルタを挟んで固定する。上記本体ケーシング１の吹出口１bに、複数の水平羽根が形成されたルーバー１６を取り付けている。上記ルーバー１６は、樹脂により一体に成形されており、本体ケーシング１の上側に取り付けられている。
【００２７】
また、上記フロントパネル２は、本体ケーシング１の前面側を覆う前面カバー部２aと、上記前面カバー部２aの下端から屈曲して後面側に延びる下面カバー部２bと、上記前面カバー部２aの上端から屈曲して後面側に延びる上面カバー部２cと、前面カバー部２aと下面カバー部２bおよび上面カバー部２cの側面側を覆う側面カバー部２dとを有する。上記前面カバー部２aの上側に、本体ケーシング１の吹出口１bに対向する開口部１７を設けている。
【００２８】
上記本体ケーシング１かつフロントパネル２に覆われた位置にイオン発生素子１０を取り付けている。
【００２９】
なお、上記本体ケーシング１の下側かつ両側面に設けられたフロントパネル用保持部１４に、フロントパネル２の側面カバー２dの下側に設けられた軸部１８を回動自在に取り付けた後、フロントパネル２を本体ケーシング１に固定する。上記フロントパネル２は、本体ケーシング１に専用工具を用いて取り付ける。この状態で、本体ケーシング１側の電源押ボタン１５がフロントパネル２の背面により押されて、電源オンの状態となる。これにより、フロントパネル２を外すようなメンテナンスなどの終了時に、電源スイッチの入れ忘れを防止できる。また、フロントパネル２を外した状態では、自動的に電源オフとなるので、安全性が向上する。
【００３０】
図２は上記イオン発生装置のイオン発生素子を外した状態を示す分解斜視図を示している。図２に示すように、イオン発生素子１０を、本体ケーシング１に設けられた収納部４０に収納した後、回転体１１をワッシャ２１とネジ２２により本体ケーシング１に回転自在に取り付ける。
【００３１】
また、図３は上記イオン発生装置のフロントパネル２を取り付けた状態を示す斜視図を示している。図３に示すように、図１,図２に示すイオン発生素子１０およびそのイオン発生素子１０の収納部４０は、フロントパネル２により覆われている。ここで、フロントパネル２は、専用工具を用いて本体ケーシング１に取り付け固定されているので、ユーザーがフロントパネル２を外して、イオン発生素子１０に触れることは容易にできない。
【００３２】
図４は上記イオン発生装置のイオン発生素子１０の取り付け部分を含む要部の正面図を示している。
【００３３】
図４に示すように、本体ケーシング１の吹出口１bの下側、かつ、吸込口１aの上側に立設された略水平の仕切板１３との間に、イオン発生素子１０が一方向(前方から後方に向う方向)から挿入され、イオン発生素子１０を他方向(上下方向,左右方向)の移動を規制しつつ収納する収納部４０を設けている。この収納部４０は、仕切板１３の上側に互いに平行にかつ所定の間隔をあけて上下方向に沿って立設された板状の案内部材４１,４２と、上記案内部材４２近傍に略水平に立設された板状の案内部材４３と、仕切板１３と、本体ケーシング１の一部とで形成されている。上記案内部材４１,４２でイオン発生素子１０の上下方向の移動を規制し、案内部材４３と仕切板１３で左右方向の移動を規制し、本体ケーシング１の一部がイオン発生素子１０の後面側への移動を規制している。
【００３４】
上記本体ケーシング１の収納部４０近傍の上側に、半円板形状の回転体１１をその軸部７１が前後方向に沿うように配置している。また、上記本体ケーシング１の回転体１１の両側に、回転体１１を両側から挟むように弾性保持部４４,４５を設けている。
【００３５】
上記回転体１１は、ネジ２２により本体ケーシング１に回転自在に支持される軸部７１と、その軸部７１に設けられ、半径方向外向に延びるフランジ部７２とを有する。上記フランジ部７２は、カム面７２aを有する略半円形状の部分と、その円弧の両端から略平行に延びる被保持部分とを有する。
【００３６】
図４では、回転体１１は、収納部４０に収納されたイオン発生素子１０を係止する係止位置にある。この係止位置の回転体１１のフランジ部７２の略平行な被保持部分を両側から挟む弾性保持部４４,４５を本体ケーシング１に立設している。
【００３７】
上記本体ケーシング１かつフロントパネル２に覆われた位置に、送風経路１c側にイオン発生電極部(図９に示す８０)のみが露出したイオン発生素子１０を取り付けている。
【００３８】
また、上記イオン発生素子１０に、ハーネス５１の一端が接続されたコネクタ５０を接続している。上記ハーネス５１の他端を、本体ケーシング１に設けられた穴４６を介して本体ケーシング１内の電装品部(図示せず)に接続している。
【００３９】
また、図５は上記イオン発生装置のイオン発生素子１０の取り付け部分を含む要部の回転体１１を解放位置にしたときの正面図を示している。
【００４０】
図５において、回転体１１は、図４の状態からつまみ部７３,７４を操作して回転させて、イオン発生素子１０の保持状態を解放する解放位置にある。ここで、回転体１１を時計方向に回転してもよいし、反時計方向に回転してもよい。
【００４１】
ここで、上記回転体１１が図４に示す係止位置から図５に示す解放位置に向かって回転するとき、回転体１１のフランジ部７２のカム面７２aに押接されて弾性保持部４４,４５が弾性変形して、回転後の解放位置で元の形状に戻って弾性保持部４４,４５により回転体１１を保持する。なお、解放位置で回転体が弾性保持部により保持されない構造であってもよいが、弾性保持部４４,４５が解放位置で元の形状に戻って弾性保持部４４,４５により回転体１１を保持するのがより好ましい。
【００４２】
一方、上記回転体１１が図５に示す解放位置から図４に示す係止位置に向かって回転するとき、回転体１１のフランジ部７２のカム面７２aに押接されて弾性保持部４４,４５が弾性変形して、回転後の係止位置で元の形状に戻って弾性保持部４４,４５により回転体１１を保持する。
【００４３】
図６は上記イオン発生装置のイオン発生素子１０を取り外したときの要部の正面図を示している。図６に示すように、イオン発生素子１０のイオン発生電極部８０(放電電極８２,８３を含む)のみが送風経路１c側に露出するように、本体ケーシング１の収納部４０に開口４７を設けている。
【００４４】
また、図７は上記イオン発生装置の回転体１１の裏面側の斜視図を示している。上記フランジ部７２のつまみ部７３,７４が設けられている側と反対側の端面に、三日月形状かつ凸形状の第１押圧部７２bを設けている。上記三日月形状の第１押圧部７２bは、中央から両端に向かってなだらかに低くなっている。また、回転体１１の軸穴７１aを有する軸部７１には、フランジ部７２のつまみ部７３,７４が設けられている側と反対の側に、外周の略１／３に凸形状の第２押圧部７１bを設けている。上記回転体１１の軸部７１の軸穴７１aに、本体ケーシング１に立設された円柱部(図示せず)が挿入される。
【００４５】
図８は上記イオン発生装置のイオン発生素子１０の取り付け部分を含む要部の拡大図を示している。図８に示すように、回転体１１が係止位置にあるとき、凸形状の第１押圧部７２bは、イオン発生素子１０に対向する回転体１１の位置に、イオン発生素子１０が収納部４０に挿入される方向にイオン発生素子１０を押さえ付けている。
【００４６】
また、上記回転体１１が係止位置のときにイオン発生素子１０に対向する回転体１１の位置に、イオン発生素子１０が収納部４０に挿入される方向とは異なる方向(仕切板１３側の方向)にイオン発生素子１０を押さえ付けている。
【００４７】
図９は上記イオン発生素子１０の裏面図を示している。図９において、８４はコネクタ部である。
【００４８】
このイオン発生素子１０は、図９に示すように、長方形状のケース８１と、ケース８１に所定の間隔をあけて設けられた円形の開口８１a,８１bと、ケース８１内に設けられ、開口８１a,８１bにより露出する放電電極８２,８３とを有している。上記開口８１a,８１bと放電電極８２,８３でイオン電極発生部８０を構成している。
【００４９】
上記構成のイオン発生装置によれば、本体ケーシング１の収納部４０に、イオン発生素子１０を一方向から挿入して、イオン発生素子１０を他方向の移動を規制しつつ収納する。そうして、収納されたイオン発生素子１０を回転体１１により係止位置で係止する一方、回転体１１を解放位置にすることによりイオン発生素子１０を係止状態から解放する。このとき、上記回転体１１が解放位置から係止位置に向かって回転するとき、回転体１１に押接されて弾性保持部４４,４５が弾性変形して、回転後の係止位置で元の形状に戻って回転体１１を保持する、また、上記回転体１１が係止位置から解放位置に向かって回転するとき、回転体１１に押接されて弾性保持部４４,４５が弾性変形する。
【００５０】
従来は、イオン発生素子の放電電極が高電圧でかつ細針状で強度的に弱いという理由により、一般のユーザが触れないようにして、分解しないとイオン発生素子のメンテナンスができない構造であった。ところが、従来のイオン発生装置が２４時間連続運転するような使用状況では、定期的にメンテナンスを行って放電電極を清掃する必要があり、メンテナンスをする毎に分解するのは、作業性が非常に悪くなる。これに対して、この実施形態のイオン発生装置では、フロントパネル２を外した後は、工具を使うことなくイオン発生素子１０を簡単に取り外しでき、メンテナンスの作業性を大幅に向上することができる。
【００５１】
また、上記回転体１１が係止位置から解放位置に向かって回転するとき、回転体１１に押接されて弾性保持部４４,４５が弾性変形して、回転後の解放位置で元の形状に戻って回転体１１を保持することにより、イオン発生素子１０を収納部４０から取り外すときに回転体１１が動いてイオン発生素子１０に干渉することがないので、作業性がより向上する。
【００５２】
また、上記回転体１１または弾性保持部４４,４５に設けられたカム面７２aにより、回転体１１が回転するときに弾性保持部４４,４５が弾性変形するので、回転体１１をスムーズに回転させることができ、操作性がよくなる。なお、回転体でなく弾性保持部にカム面を設けてもよいし、回転体と弾性保持部の両方に、回転体が回転するときに弾性保持部が弾性変形するために設けてもよい。
【００５３】
また、上記回転体１１が係止位置のとき、イオン発生素子１０に対向する回転体１１の位置に設けられた凸形状の第１押圧部７２bにより、イオン発生素子１０が収納部４０に挿入される方向に向かってイオン発生素子１０を押さえるので、収納部４０に収納された係止状態のイオン発生素子１０を確実に保持することができる。
【００５４】
また、上記回転体１１が係止位置のとき、イオン発生素子１０に対向する回転体１１の位置に設けられた凸形状の第２押圧部７１bにより、イオン発生素子１０が収納部４０に挿入される方向とは異なる方向(仕切板１３側の方向)に向かってイオン発生素子１０を押さえるので、収納部４０に収納された係止状態のイオン発生素子１０を確実に保持することができる。
【００５５】
また、上記イオン発生素子１０が取り付けられた区画と送風経路１cを仕切る仕切板１３において、イオン発生素子１０に対向する側面が、イオン発生素子１０の仕切板１３側への移動を規制することによって、送風経路１cを仕切る仕切板１３が収納部４０の一部を兼ねることができ、構成を簡略化できる。
【００５６】
また、上記本体ケーシング１に略水平に設けられた仕切板１３の上面が、イオン発生素子１０の下側が接してイオン発生素子１０の仕切板１３側への移動を規制することによって、仕切板１３が収納部４０の一部を兼ねると共、取り外したイオン発生素子１０を仕切板１３上に一旦載せて作業でき、作業性がより向上する。
【００５７】
上記実施の形態では、背面側が室内の壁に接するように設置されるイオン発生装置について説明したが、イオン発生装置の形態はこれに限らず、棚などに載置する形態のイオン発生装置でもよく、他の装置に内蔵されたものにこの発明を適用してもよい。
【００５８】
この発明の具体的な実施の形態について説明したが、この発明は上記実施の形態に限定されるものではなく、この発明の範囲内で種々変更して実施することができる。
【図面の簡単な説明】
【００５９】
【図１】図１はこの発明の実施の一形態のイオン発生装置のフロントパネルを外した状態の斜視図である。
【図２】図２は上記イオン発生装置のイオン発生素子を外した状態を示す分解斜視図である。
【図３】図３は上記イオン発生装置のフロントパネルを取り付けた状態を示す斜視図である。
【図４】図４は上記イオン発生装置のイオン発生素子の取り付け部分を含む要部の正面図である。
【図５】図５は上記イオン発生装置のイオン発生素子の取り付け部分を含む要部の回転体を解放位置にしたときの正面図である。
【図６】図６は上記イオン発生装置のイオン発生素子を取り外したときの要部の正面図である。
【図７】図７は上記イオン発生装置の回転体の裏面側の斜視図である。
【図８】図８は上記イオン発生装置のイオン発生素子の取り付け部分を含む要部の拡大図である。
【図９】図９は上記イオン発生素子の裏面図である。
【符号の説明】
【００６０】
１…本体ケーシング
１a…吸込口
１b…吹出口
１c…送風経路
２…フロントパネル
２a…前面カバー部
２b…上面カバー部
２c…下面カバー部
２d…側面カバー部
１０…イオン発生素子
１１…回転体
１２…フィルタ固定部材
１３…仕切板
１４…フロントパネル用保持部
１５…電源押ボタン
１６…ルーバー
１７…開口部
２１…ワッシャ
２２…ネジ
４０…収納部
４１,４２,４３…案内部材
４４,４５…弾性保持部
４６…穴
４７…開口
５０…コネクタ
５１…ハーネス
７１…軸部
７１a…軸穴
７１b…第２押圧部
７２…フランジ部
７２a…カム面
７２b…第１押圧部
７３,７４…つまみ部
８０…イオン電極発生部
８１…ケース
８１a,８１b…開口
８２,８３…放電電極
８４…コネクタ部
【図１】
2009252717.tif 000003
【図２】
2009252717.tif 000004
【図３】
2009252717.tif 000005
【図４】
2009252717.tif 000006
【図５】
2009252717.tif 000007
【図６】
2009252717.tif 000008
【図７】
2009252717.tif 000009
【図８】
2009252717.tif 000010
【図９】
2009252717.tif 000011